(57)【特許請求の範囲】
【請求項１】
空気を排出する排気部と、前記排気部から排出される空気の少なくとも一部を吸い込む吸気部と、を有し、前記排気部から排出される空気により、前記排気部と前記吸気部との間にエアカーテンを形成する飛沫遮断装置であって、
前記吸気部により吸い込まれた空気を前記排気部へ送る経路と、
前記経路で空気の流れを形成する空気輸送部と、
前記吸気部により吸い込まれる空気に含まれる飛沫を除去するフィルタと、
前記排気部から前記吸気部に向けて空気が流れる所定方向に対して垂直な平面視で、前記排気部と前記吸気部とを互いに位置決めする位置決め部と、
前記エアカーテンにより仕切られる複数の空間に共に人が居るか居ないかを検出する人検出センサと、
前記排気部及び前記吸気部が設けられる室内の二酸化炭素の濃度を検出する濃度センサと、
前記経路と前記排気部とを接続し、かつ、前記経路と室外とを遮断する第１モードと、前記経路と前記室外とを接続し、かつ、前記経路と前記排気部とを遮断する第２モードとを切り替え可能な切替バルブと、
前記切替バルブの前記第１モードと前記第２モードとを切り替える制御回路と、
を有し、
前記制御回路は、
前記複数の空間に共に人が居る場合は、前記濃度センサにより検出される二酸化炭素の濃度に関わりなく前記切替バルブを前記第１モードにする制御と、
前記複数の空間の少なくとも一方に人が居らず、かつ、前記濃度センサにより検出される二酸化炭素の濃度が所定値を超えると前記切替バルブを前記第２モードにする制御と、
を行う、飛沫遮断装置。
【請求項２】
請求項１記載の飛沫遮断装置において、
前記位置決め部は、前記排気部と前記吸気部とを接続し、かつ、鉛直方向に沿って配置され、かつ、互いに平行に設けられる複数の支柱を有し、
前記鉛直方向で前記排気部よりも下に前記吸気部が設けられ、
前記空気輸送部は、前記経路に設けられている、飛沫遮断装置。
【請求項３】
請求項１または２記載の飛沫遮断装置において、
人により操作されて前記空気輸送部の駆動及び停止を切り替える操作部が、更に設けられている、飛沫遮断装置。
【発明の詳細な説明】
【技術分野】
【０００１】
本開示は、空間同士の間にエアカーテンを形成することにより、空間同士間で飛沫が行き来することを抑制する飛沫遮断装置に関する。
【背景技術】
【０００２】
空間同士の間にエアカーテンを形成することにより、空間同士間で飛沫が行き来することを抑制する飛沫遮断装置の一例が、特許文献１に記載されている。特許文献１に記載されている飛沫遮断装置は、対面する人の間に直立して設置される第１柱状部材及び第２柱状部材と、第１柱状部材の内部に設けられた送風機及びフィルタと、第１柱状部材と第２柱状部材とを接続する送風管と、第１柱状部材に設けた送風口（排気部）と、第２柱状部材に設けた吸気口（吸気部）と、第１柱状部材及び第２柱状部材にそれぞれ設けられてテーブルに置かれる設置部材と、を有する。
【０００３】
特許文献１に記載された飛沫遮断装置は、飛沫を含む空気が、送風機の作用により吸気口から吸い込まれ、かつ、送風管を通って第１柱状部材へ供給される。空気がフィルタを通過するときに飛沫物やほこり等が吸着される。フィルタにより清浄化された空気は、送風口から排出され、再度、吸気口へ吸い込まれる。こうして、第１柱状部材から第２柱状部材へ横方向に帯状の空気の流れが生じて、対面する両者の間にエアカーテンが形成される。
【先行技術文献】
【特許文献】
【０００４】
【特許文献１】特開２０１１−１３７５８８号公報
【発明の概要】
【発明が解決しようとする課題】
【０００５】
本願発明者は、特許文献１に記載されている飛沫遮断装置において、排気部と吸気部とが位置ずれすると、エアカーテンが適切に形成されにくい、という課題を認識した。
【０００６】
本開示の目的は、排気部と吸気部との位置ずれを抑制可能な、飛沫遮断装置を提供することにある。
【課題を解決するための手段】
【０００７】
本開示の飛沫遮断装置は、空気を排出する排気部と、前記排気部から排出される空気の少なくとも一部を吸い込む吸気部と、を有し、前記排気部から排出される空気により、前記排気部と前記吸気部との間にエアカーテンを形成する飛沫遮断装置であって、前記吸気部により吸い込まれた空気を前記排気部へ送る経路と、前記経路で空気の流れを形成する空気輸送部と、前記吸気部により吸い込まれる空気に含まれる飛沫を除去するフィルタと、前記排気部から前記吸気部に向けて空気が流れる所定方向に対して垂直な平面視で、前記排気部と前記吸気部とを互いに位置決めする位置決め部と、を有する。
【発明の効果】
【０００８】
本開示によれば、排気部と吸気部との位置ずれが抑制され、エアカーテンを適切に形成することが可能である。
【図面の簡単な説明】
【０００９】
【図１】本開示の飛沫遮断装置がテーブル上に設けられている側面図である。
【図２】飛沫遮断装置の斜視図である。
【図３】図２の飛沫遮断装置をIII −III 線に沿って破断した側面断面図である。
【図４】図３の飛沫遮断装置をIV−IV線に沿って破断した平面断面図である。
【図５】図３の飛沫遮断装置をＶ−Ｖ線に沿って破断した正面断面図である。
【図６】飛沫遮断装置の制御系統を示すブロック図である。
【発明を実施するための形態】
【００１０】
以下、図面に基づいて、飛沫遮断装置の実施形態を説明する。以下の実施形態の構成は例示であり、飛沫遮断装置は、実施形態の内容に限定されない。本実施形態では、主として、第１空間と第２空間との間にエアカーテンを形成する飛沫遮断装置の例を説明する。各図において、同様の構成部分については同じ符号を付してあり、重複する説明は省略する。
【００１１】
図１、図２、図３、図４及び図５に示すように、飛沫遮断装置１０は、自宅、商業施設、店舗等において、テーブル１１の上面１２に設けられる。図１は、テーブル１１が室内Ｂ１の床１３に置かれている例を示す。なお、テーブル１１は、屋外の地面等に置くことも可能である。２脚の椅子１４，１５が、テーブル１１を隔てて配置されている。椅子１４には人１６が着座可能であり、椅子１５には人１７が着座可能である。飛沫遮断装置１０は、テーブル１１を隔てて対面する人１６と人１７との間で、相互に飛沫が行き来することを防止する装置である。飛沫とは、会話、咳、くしゃみ等により、人の口から飛び散る水滴を意味する。
【００１２】
本実施形態では、図４のようにテーブル１１を平面視すると、テーブル１１の外周形状は、略四角形、例えば、長方形または正方形であるものとする。テーブル１１は、互いに平行な２側縁１８，１９と、２側縁１８，１９に対して略９０度の角度で交差する２側縁２０，２１を有する。２側縁２０，２１は、互いに平行である。本開示では、図４のようにテーブル１１を平面視すると、人１６と人１７との間に、テーブル１１の２側縁１８、１９が位置する。
【００１３】
飛沫遮断装置１０は、アーチ部２２、ダクト部２３、吸気部２４、排気部２８、送風機６２、フィルタ３０等を有する。アーチ部２２は、２つの支柱３１、３２と、支柱３１の下部に接続された脚部３３，３４と、支柱３２の下部に接続された脚部３５，３６と、２つの支柱３１，３２の上部同士を接続する梁３７と、を有する。４つの脚部３３，３４，３５，３６は、テーブル１１の上面１２にそれぞれ接触されて２つの支柱３１，３２を平行に支持し、かつ、２つの支柱３１，３２が、テーブル１１の上面１２から略垂直に立てられた状態に保持する。略垂直は、鉛直方向である。４つの脚部３３，３４，３５，３６がテーブル１１の上面１２に接触された状態で、梁３７は、テーブル１１の上面１２と略平行に延ばされている。２つの支柱３１，３２は、２つの側縁１８，１９に沿った方向に間隔をおいて配置されている。
【００１４】
支柱３１と支柱３２との間隔は、人１６，１７の胴体の幅以上、例えば、略８０ｃｍ以上に設定されている。また、支柱３１，３２の下端から梁３７の上端までの高さＨ１は、略８０ｃｍ以上である。このため、梁３７の上端は、人１６，１７の頭頂部付近に位置する。４つの脚部３３，３４，３５，３６、２つの支柱３１，３２、梁３７は、例えば、合成樹脂製、または、金属製である。４つの脚部３３，３４，３５，３６、２つの支柱３１，３２、梁３７は、全体が一体成形された構造、または、それぞれが別体で構成され、かつ、互いにねじ等で固定された構造の何れでもよい。
【００１５】
図５のように、吸気部２４は、支柱３１の下端と支柱３２の下端との間に位置し、かつ、テーブル１１の上面１２に沿って配置される。吸気部２４は、合成樹脂製または金属製であり、吸気部２４は、通気路３８を有する。通気路３８は、空気が通る経路である。通気路３８は、溝、凹部、穴の何れでもよく、通気路３８が溝または凹部である場合、通気路３８は、吸気部２４の上面に開口されている。通気路３８が穴である場合、通気路３８と吸気部２４の上面とをつなぐ通路が吸気部２４に設けられる。
【００１６】
図３及び図５のように、フィルタ３０は、吸気部２４の上に設けられている。フィルタ３０は、空気が通過可能であり、かつ、空気中に含まれる飛沫を捕捉する要素である。フィルタ３０は、空気の流れ方向で、通気路３８より上流に配置されており、フィルタ３０を通過した空気が通気路３８へ流れ込む。フィルタ３０として例えば、不織布フィルタを用いることが可能である。また、フィルタ３０は、抗菌層を有していてもよい。抗菌層は、コーティング層（薄膜）である。コーティング層は、抗菌、抗ウィルス、消臭、防汚等を発揮し、環境浄化作用を繰り返す機能を有する。コーティング物質としては、例えば、酸化チタン（二酸化チタン）、酸化タングステンを用いることが可能である。このため、フィルタ３０を通過する空気を浄化可能である。
【００１７】
図３のように、吸気部２４上にガイド部材３９，４０が設けられている。ガイド部材３９，４０は、排気部２８，２９から吸気部２４に向けて流れる空気を、フィルタ３０に向けてガイドする要素である。ガイド部材３９，４０は、合成樹脂製または金属製の何れでもよく、ガイド部材３９はガイド面４１を有し、ガイド部材４０はガイド面４２を有する。ガイド面４１，４２は、図示しない鉛直線に対して傾斜されている。ガイド面４１，４２は、吸気部２４に近づくことに伴い、ガイド面４１，４２同士の間隔が狭くなる向きに、それぞれ傾斜されている。
【００１８】
支柱３２には通気路４３が設けられている。通気路４３は、通気路３８に接続されている。フィルタ３０を通過した空気は、通気路３８から通気路４３へ流れ込む。ダクト部２６は、支柱３２の側方に設けられている。ダクト部２６は、支柱３２に沿って設けられており、ダクト部２６の下端はテーブル１１の上面１２に接触する。ダクト部２６は、合成樹脂製または金属製であり、ダクト部２６は、通気路４４、具体的には穴を有する。通気路４４は、通気路４３につながっており、通気路４３から通気路４４へ空気が流れ込む。通気路４４は、ダクト部２６の下端から上端へ向けて略垂直に延ばされている。
【００１９】
梁３７は、合成樹脂製または金属製であり、図３のように、梁３７は、通気路４５、具体的には穴を有する。通気路４５は、通気路４４につながっており、通気路４４から通気路４５へ空気が流れ込む。飛沫遮断装置１０を平面断面視した図４において、通気路４５は、２つの側縁１８，１９と略平行に延ばされている。また、通気路４５は、略水平に延ばされている。
【００２０】
２つの排気部２８，２９は、梁３７の両側に設けられている。２つの排気部２８，２９は、支柱３１の上端から支柱３２の上端に亘って略水平に設けられている。２つの排気部２８，２９は、同じ高さに設けられており、かつ、２つの排気部２８，２９は、通気路４５と略同じ高さに設けられている。２つの排気部２８，２９は、共に合成樹脂製または金属製であり、排気部２８は通気路４６を有し、排気部２９は通気路４７を有する。梁３７は、通気路４５と通気路４６とを接続する接続路４８を有し、通気路４５と通気路４７とを接続する接続路４９を有する。接続路４８は、複数または単数の何れでもよく、接続路４９は、複数または単数の何れでもよい。なお、図４は、接続路４８が複数設けられ、かつ、接続路４９が複数設けられている例を示す。
【００２１】
さらに、排気部２８は、通気路４６につながる排出口５０を有し、排気部２９は、通気路４７につながる排出口５１を有する。排出口５０，５１は、吸気部２４に向けて開口された穴である。排出口５０は、排気部２８の長手方向に沿って複数設けられている。排出口５１は、排気部２９の長手方向に沿って複数設けられている。排出口５０，５１から排出される空気は、空間Ａ１を下向き、つまり、図２及び図３の第１方向Ｄ１で流れてエアカーテンＥ１，Ｅ２を形成する。飛沫遮断装置１０は、２つの支柱３１，３２と、梁３７と、排気部２８，２９と、吸気部２４とにより囲まれた略四角形の空間Ａ１を形成する。
【００２２】
送風機６２は、一例として通気路４４内に設けられている。送風機６２は、ファンまたはブロワの何れでもよい。送風機６２は、電動モータによって運転されて空気を輸送する。送風機６２が運転されると、空気が、フィルタ３０、通気路３８、通気路４３を通って通気路４４へ流れ込み、通気路４４から通気路４５へ流れ込んだ空気は、通気路４６を経由して排出口５０から排出され、通気路４７を経由して排出口５１から排出される。排出口５０，５１から排出された空気は、空間Ａ１を第１方向Ｄ１で流れてエアカーテンＥ１，Ｅ２を形成し、かつ、フィルタ３０を通過して通気路３８へ流れ込む。
【００２３】
図６は、飛沫遮断装置１０の制御系統を示すブロック図である。送風機６２と電源５２との間の電気回路にスイッチ５３が設けられている。電源５２は、交流電源または直流電源の何れでもよい。直流電源は、二次電池または一次電池の何れでもよい。スイッチ５３がオンされると、電源５２の電力は送風機６２の電動モータ５４に供給され、送風機６２が運転される。スイッチ５３がオフされると、電源５２の電力は電動モータ５４に供給されず、送風機６２は停止する。スイッチ５３は、例えば、アーチ部２２の外面またはダクト部２３の外面に設けられている。
【００２４】
また、着座センサ５５が設けられていてもよい。着座センサ５５は、例えば、アーチ部２２、ダクト部２３、２つの椅子１４，１５、または天井等に設けることが可能である。着座センサ５５は、２つの椅子１４，１５にそれぞれ人１６，１７が着座しているか否かを検出して信号を出力する。着座センサ５５としては、例えば、赤外線センサ、感圧センサ、温度センサ等を用いることが可能である。制御回路５６が、アーチ部２２またはダクト部２３に設けられている。制御回路５６は、入力ポート、出力ポート、記憶回路、タイマー及び中央演算処理装置等を有するマイクロコンピュータである。記憶回路には、送風機６２を駆動及び停止させるための情報及びデータが、予め記憶されている。
【００２５】
また、表示部５７が、アーチ部２２またはダクト部２３に設けられている。表示部５７は、例えば、液晶パネル、ランプ等により、送風機６２の駆動及び停止を表示する。また、操作部５８が設けられている。人が操作部５８を操作することにより、送風機６２の駆動及び停止を選択可能である。操作部５８は、タッチパネル、ボタン等により構成されており、操作部５８は、アーチ部２２、ダクト部２３の外面に設けられる。操作部５８から出力される操作信号、着座センサ５５の信号は、制御回路５６に入力される。制御回路５６は、入力される信号、及び記憶回路に記憶されている情報及びデータに基づいて、スイッチ５３のオン及びオフを切り替える機能を有する。また、制御回路５６は、表示部５７の表示内容を制御する。
【００２６】
次に、飛沫遮断装置１０の使用例を説明する。操作部５８から送風機６２を停止させる信号が出力されていると、制御回路５６は、スイッチ５３をオフする。このため、送風機６２は停止されている。操作部５８から送風機６２を駆動させる信号が出力されていると、制御回路５６は、スイッチ５３をオンする。電源５２の電力で送風機６２が運転されると、空間Ａ１の空気は、フィルタ３０を通過して通気路３８へ吸い込まれる。通気路３８へ吸い込まれた空気は、通気路４３を通って通気路４４へ流れ込み、さらに、通気路４４を流れる空気は、図３に示す通気路４５へ流れ込む。
【００２７】
通気路４５へ流れ込んだ空気の一部は、接続路４８及び通気路４６を通って排出口５０から空間Ａ１へ排出されて、図３に示すエアカーテンＥ１を形成する。また、通気路４５へ流れ込んだ空気の一部は、接続路４９及び通気路４７を通って排出口５１から空間Ａ１へ排出されてエアカーテンＥ２を形成する。エアカーテンＥ１，Ｅ２は、人１６が居る空間Ｂ２と、人１７が居る空間Ｂ３とを仕切る。空間Ａ１へ排出された空気は、フィルタ３０を通過して通気路３８へ吸い込まれる。このように、送風機６２が駆動されて流れる空気は、空間Ａ１、通気路３８，４３，４４、通気路４５，４６，４７を含む経路内で循環する。
【００２８】
このため、椅子１４に着座している人１６と、椅子１５に着座している人１７とが対面して会話し、かつ、飛沫が発生した場合、飛沫を含む空気が空間Ａ１に進入すると、空気がフィルタ３０を通過する過程で飛沫がフィルタ３０によって除去される。このため、空間Ｂ２と空間Ｂ３との間で、飛沫を含んだ空気が行き来することを抑制できる。このように、飛沫遮断装置１０のフィルタ３０は、空気に含まれる飛沫を捕捉できて衛生的であり、かつ、飛沫感染等を抑制することができる。
【００２９】
また、空気を排出する排気部２８，２９と、空気を吸い込むフィルタ３０及び吸気部２４とが、アーチ部２２によって第２方向Ｄ２及び第３方向Ｄ３で位置決めされている。第１方向Ｄ１に対して垂直な平面視である図４において、通気路４５の配置方向に対して交差する方向、つまり、側縁１８，１９に沿った第２方向Ｄ２、及び側縁２０，２１に沿った第３方向Ｄ３において、排気部２８，２９と、フィルタ３０及び吸気部２４とが位置決めされている。さらに、図３に示す飛沫遮断装置１０の側面断面視で、アーチ部２２の高さ方向、つまり、第１方向Ｄ１において、排気部２８，２９と、フィルタ３０及び吸気部２４とが位置決めされている。したがって、排気部２８，２９から空間Ａ１へ排出される空気を、フィルタ３０及び通気路３８へ確実に導くことができ、飛沫の捕捉性能が向上する。
【００３０】
さらに、空間Ａ１を流れる空気は、ガイド部材３９，４０のガイド面４１，４２に沿って流れ方向が規制されるため、飛沫を含んだ空気がフィルタ３０を確実に通過する。したがって、飛沫の捕捉性能が向上する。なお、フィルタ３０は、適宜、洗浄、交換等を行うことが可能である。
【００３１】
［変更例１］
図５に示す通気路４４内において、送風機６２と通気路４５との間に切替バルブ５９が設けられていてもよい。切替バルブ５９は、通気路４４を、通気路４５または排気路６０に対して選択的に接続する機構である。排気路６０は、ダクト部２６に設けられた通路、または、ダクト部２６とは別に設けられたパイプ、ホースの何れでもよい。排気路６０は、例えば、室外に接続されている。さらに、排気路６０に接続される接続管がテーブル１１に設けられ、飛沫遮断装置１０をテーブル１１の上面１２に置くと、排気路６０と接続管とがつながるように構成されていてもよい。
【００３２】
切替バルブ５９としては、例えばソレノイドバルブを用いることが可能である。切替バルブ５９は、図６に示す制御回路５６により作動モードが切り替えられる。切替バルブ５９が第１モードであると、通気路４４は通気路４５に接続され、かつ、通気路４４と排気路６０とが遮断される。切替バルブ５９が第２モードであると、通気路４４と排気路６０とが接続され、かつ、通気路４４と通気路４５とが遮断される。さらに、人が操作部５８を操作することにより、第１モードと第２モードとを切り替えることが可能に構成されている。なお、表示部５７は、切替バルブ５９が第１モードまたは第２モードの何れであるかを表示可能である。
【００３３】
そして、椅子１４に人１６が着座し、かつ、椅子１５に人１７が着座する場合、人が操作部５８を操作して第１モードを選択することができる。第１モードが選択され、かつ、送風機６２が駆動されると、空間Ａ１でエアカーテンＥ１，Ｅ２を形成した空気がフィルタ３０を通過する過程で、飛沫が捕捉される。
【００３４】
これに対して、椅子１４または、椅子１５の少なくとも一方に人が着座していない場合、操作部５８を操作して第２モードを選択することができる。第２モードが選択され、かつ、送風機６２が駆動されて、空間Ａ１の空気がフィルタ３０及び通気路３８を通って通気路４４へ流れ込むと、通気路４４内の空気は、排気路６０を通って室外へ排出される。したがって、室内Ｂ１の換気を行うことができる。このため、室内Ｂ１における空気中の二酸化炭素濃度が上昇することを抑制可能である。
【００３５】
［変更例２］
さらに、制御回路５６は、操作部５８の操作によらず、着座センサ５５の信号を処理することにより、切替バルブ５９の第１モードと第２モードとを自動的に切り替えることも可能である。具体的に説明すると、制御回路５６は、椅子１４に人１６が着座し、かつ、椅子１５に人１７が着座していることを検出すると、切替バルブ５９を第１モードに制御する。これに対して、制御回路５６が椅子１４または、椅子１５の少なくとも一方に人が着座していないことを検出すると、制御回路５６は、切替バルブ５９を第２モードに制御する。
【００３６】
［変更例３］
また、図６に示すＣＯ２センサ６１が設けられていてもよい。ＣＯ２センサ６１は、室内Ｂ１における空気中の二酸化炭素濃度を検出して信号を出力する。ＣＯ２センサ６１は、例えば、光学式、電気化学式、半導体式の何れでもよい。ＣＯ２センサ６１は、アーチ部２２、ダクト部２６、室内Ｂ１の天井、壁、柱、テーブル１１の何れに設けられていてもよい。
【００３７】
そして、制御回路５６は、着座センサ５５の信号及びＣＯ２センサ６１の信号に基づいて、送風機６２の駆動及び停止、切替バルブ５９の作動モードを制御することができる。制御回路５６は、椅子１４に人１６が着座し、かつ、椅子１５に人１７が着座していると、ＣＯ２センサ６１より検出される空気中の二酸化炭素の濃度に関わりなく、送風機６２を運転させ、かつ、切替バルブ５９を第１モードに制御することができる。
【００３８】
また、制御回路５６は、椅子１４または、椅子１５の少なくとも一方に人が着座していないことを検出し、かつ、ＣＯ２センサ６１より検出される空気中の二酸化炭素濃度が所定値以下である場合、送風機６２を停止させる。建築基準法では、空気中の二酸化炭素の濃度を1,000ppm以下に抑えるよう定められているため、制御回路５６は、所定値800ppmを記憶回路に予め記憶している。なお、送風機６２が停止されているため、切替バルブ５９のモードは何れでもよい。
【００３９】
また、制御回路５６は、椅子１４または、椅子１５の少なくとも一方に人が着座していないことを検出し、かつ、ＣＯ２センサ６１より検出される空気中の二酸化炭素の濃度が所定値を超えている場合、送風機６２を運転させ、かつ、切替バルブ５９を第２モードに制御することができる。したがって、室内Ｂ１の換気を行うことで、空気中の二酸化炭素の濃度が上昇することを抑制可能である。
【００４０】
本実施形態で説明された事項の技術的意味の一例は、次の通りである。飛沫遮断装置１０は、飛沫遮断装置の一例である。排気部２８，２９は、排気部の一例である。吸気部２４は、吸気部の一例である。排気部は、単数または複数の何れでもよい。吸気部は、単数または複数の何れでもよい。通気路３８，４３，４４，４５は、経路の一例である。経路は、穴、開口部、溝、通路等を含む。送風機６２及び電動モータ５４は、空気輸送部の一例である。
【００４１】
フィルタ３０は、フィルタの一例である。アーチ部２２は、位置決め部の一例である。位置決め部は、フレーム、ブラケット、アーム等により構成されていてもよい。支柱３１，３２は、支柱の一例である。操作部５８は、操作部の一例である。着座センサ５５は、人検出センサの一例である。制御回路５６は、制御回路の一例である。ＣＯ２センサ６１は、濃度センサの一例である。切替バルブ５９は、切替バルブの一例である。図４は、第１方向に対して垂直な平面視の一例である。第１方向Ｄ１は、所定方向の一例である。空間Ｂ２，Ｂ３は、複数の空間の一例である。
【００４２】
本実施形態で説明した飛沫遮断装置は、図面を用いて説明したものに限定されない。例えば、飛沫遮断装置は、テーブルに対して固定される構造、または、飛沫遮断装置をテーブルに置いたりテーブルから取り除いたりできる構造の何れでもよい。また、空気の流れを形成する空気輸送部は、送風機に代えて圧縮機を用いることも可能である。また、送風機及び圧縮機の両方を用いることも可能である。また、空気輸送部は、ベース部、ダクト部、梁部のうち、少なくとも１箇所に設けることが可能である。
【００４３】
さらに、飛沫遮断装置は、３人以上の人間の間で、飛沫を含んだ空気が流れることを遮断するように構成されていてもよい。例えば、エアカーテンを形成して３つの空間を仕切る飛沫遮断装置の場合、図４に示すような飛沫遮断装置の平面視で、アーチ部及び２つの排気部が、略１２０度間隔でＹ字形状に３組配置される。また、エアカーテンを形成して４つの空間を仕切る飛沫遮断装置の場合、図４に示すような飛沫遮断装置の平面視で、アーチ部及び２つの排気部が、略９０度間隔で十字形状に４組配置される。なお、本開示の飛沫遮断装置は、エアカーテンにより空気の流れを遮断することに加え、合成樹脂製のパネルを併用することも可能である。
【００４４】
さらに、飛沫遮断装置が店舗の室内に設けられる場合、操作部を操作することにより、店舗の店員を呼ぶこと、店舗で提供する商品を選択すること等ができるように、操作部が構成されていてもよい。また、操作部がスイッチの機能を兼備していてもよい。操作部と表示部とが別々に設けられることなく、液晶パネル、タッチパネル等により、操作部及び表示部が統合されていてもよい。さらに、携帯型端末、例えば、タブレット端末、スマートホンがＣＯ２を検出するする機能を備えている場合、携帯型端末で検出されたＣＯ２濃度の情報を制御回路が受信できるように構成されていてもよい。さらに、操作部、表示部及び制御回路は、携帯型端末に設けられていてもよい。さらに、アーチ部、ダクト部の表面には、抗菌処理、抗ウィルス処理が施されている。
【産業上の利用可能性】
【００４５】
本開示の飛沫遮断装置は、店舗、自宅等のように、複数の人同士の間で飛沫を含んだ空気の流れを遮断することに利用可能である。
【符号の説明】
【００４６】
１０…飛沫遮断装置、２２…アーチ部、２４…吸気部、２８，２９…排気部、３０…フィルタ、３１，３２…支柱、３８，４３，４４，４５…通気路、５４…電動モータ、５５…着座センサ、５６…制御回路、５８…操作部、５９…切替バルブ、６１…ＣＯ２センサ、６２…送風機、Ｄ１…第１方向
【要約】
【課題】排気部と吸気部との位置ずれを抑制可能な飛沫遮断装置を提供する。
【解決手段】空気を排出する排気部２８，２９と、排気部２８，２９から排出される空気の少なくとも一部を吸い込む吸気部２４と、を有し、排気部２８，２９から排出される空気により、排気部２８，２９と吸気部２４との間にエアカーテンＥ１，Ｅ２を形成する飛沫遮断装置１０であって、吸気部２４により吸い込まれた空気を排気部２８，２９へ送る通気路４５と、通気路４５で空気の流れを形成する空気輸送部と、吸気部２４により吸い込まれる空気に含まれる飛沫を除去するフィルタ３０と、排気部２８，２９から吸気部２４に向けて空気が流れる第１方向Ｄ１に対して垂直な平面視で、排気部２８，２９と吸気部２４とを互いに位置決めする支柱３１と、を有する。
【選択図】図３【図１】
0006967317.tif 000002
【図２】
0006967317.tif 000003
【図３】
0006967317.tif 000004
【図４】
0006967317.tif 000005
【図５】
0006967317.tif 000006
【図６】
0006967317.tif 000007